(57)【要約】【課題】幌を完全な展開状態でなく展開面積を狭い状態として使用する時にも、幌布が緊張状態に保持されるようにしたベビーカーの幌を得ること。【解決手段】逆Ｕ字状に屈曲された複数の幌骨の基端部を互いに枢着し、上記幌骨間の角度を変えることにより幌の開き具合を変えるようにしたベビーカーの幌に関するものであり、上記幌骨２２ａ、２２ｂ、２２ｃ間に張設された幌布２３に、固定側の幌骨２２ｃに近接した位置と中間のフリー側幌骨２２ｂに近接した位置とを互いに連結可能な連結具２５、２６を設けた。【選択図】  図１
2004203354.tif 000002
【特許請求の範囲】
【請求項１】
逆Ｕ字状に屈曲された複数の幌骨の基端部を互いに枢着し、上記幌骨間の角度を変えることにより幌の開き具合を変えるようにしたベビーカーの幌において、上記幌骨間に張設された幌布に、一つの幌骨に近接した位置と他の幌骨に近接した位置とを互いに連結可能な連結具を設けたことを特徴とする、ベビーカーの幌。
【請求項２】
上記連結具は、固定側の幌骨に近接した位置と中間のフリー側の幌骨に近接した位置とを連結可能であることを特徴とする、請求項１記載のベビーカーの幌。
【請求項３】
上記連結具は、着脱可能なバックルであることを特徴とする、請求項１記載のベビーカーの幌。
【請求項４】
上記連結具は、面ファスナであることを特徴とする、請求項１記載のベビーカーの幌。
【請求項５】
上記連結具は、紐であることを特徴とする、請求項１記載のベビーカーの幌。
【発明の詳細な説明】
【０００１】
【発明の属する技術分野】
本発明は、ベビーカー本体に装着され、幌骨間の角度を変えることにより幌の開き具合を変えるようにした幌に関する。
【０００２】
【従来の技術】
一般に、乳幼児を散歩や買い物等のために屋外に連れ出す場合に使用するベビーカーにおいては、ベビーカー本体に幌が着脱可能に装着されており、必要に応じて乳幼児への陽射しを遮るようにすることが行われている。
【０００３】
図４は、上記幌を装着したベビーカーの概略構成を示す側面図であり、前輪１１を有する左右一対の前脚１２、後輪１３を有する左右一対の後脚１４、ほぼ逆Ｕ字状に屈曲された手押し杆１５、左右一対のアームレスト１６及びそのアームレスト１６の間に掛け渡された着脱可能なガードアーム１７によってベビーカー本体が構成されている。上記ベビーカー本体には乳幼児を乗せるためのシート１８が取り付けられている。また、上記手押し杆１５の左右のパイプ１９の外側部にはパイプ状の幌装着具２０が設けられており、その幌装着具２０に幌２１の取付杆２１ａが挿入装着されている。
【０００４】
幌２１は、逆Ｕ字状に屈曲された複数本（図においては３本）の幌骨２２ａ、２２ｂ、２２ｃを有しており、その幌骨２２ａ、２２ｂ、２２ｃの外面側に幌布２３が張設されている。上記各幌骨２２ａ、２２ｂ、２２ｃの開放側先端部は互いに枢着されており、その枢着点を中心として各幌骨２２ａ、２２ｂ、２２ｃ間の角度を変えることにより幌の開き具合を変えるようにしてある。また、上記幌２１の後部には後部覆い２１ｂが設けられており、その後部覆い２１ｂの両側部が前記左右のパイプ１９を覆うように卷装装着されている。さらに、上記幌２１の両側部には、幌骨２２間の角度を最大に拡げた状態或いは閉じた状態に保持する幌開度調整部材２４が設けられている。
【０００５】
しかして、幌２１の使用時には、幌骨２２ａを前方側に揺動させることにより、各幌骨２２ａ、２２ｂ、２２ｃ間の角度を図４に示すように最大にすると、上記幌開度調整部材２４により幌２１が完全に展開状態に保持される。
【０００６】
一方、幌２１の不使用時には、前述と逆に、幌骨２２ａを幌骨２２ｂと共に後方の幌骨２２ｃ側に揺動することにより、幌２１を折り畳んだ状態にすることができる。
【０００７】
【発明が解決しようとする課題】
ところが、上記幌布は、幌が最大に拡げた状態に合わせて張りをもつように調整されているため、幌の開き角度を最大以外の任意の角度で使用すると、図５に示すように、幌布２３がたるみ、見栄えが悪い等の問題がある。本発明はこのような点に鑑み、幌を完全な展開状態でなく展開面積が狭い状態で使用する時にも、幌布が緊張状態に保持されるようにしたベビーカーの幌を得ることを目的とする。
【０００８】
【課題を解決するための手段】
請求項１に係る発明は、逆Ｕ字状に屈曲された複数の幌骨の基端部を互いに枢着し、上記幌骨間の角度を変えることにより幌の開き具合を変えるようにしたベビーカーの幌において、上記幌骨間に張設された幌布に、一つの幌骨に近接した位置と他の幌骨に近接した位置とを互いに連結可能な連結具を設けたことを特徴とする。
請求項２に係る発明は、請求項１に係る発明において、上記連結具は、着脱可能なバックルであることを特徴とする。
【０００９】
請求項３に係る発明は、請求項１に係る発明において、上記連結具は、面ファスナであることを特徴とする。
【００１０】
【発明の実施の形態】
以下、添付図面を参照して本発明の実施の形態について説明する。
図１は本発明の幌を装着したベビーカーの斜視図であり、前輪１１を有する左右一対の前脚１２、後輪１３を有する左右一対の後脚１４、ほぼ逆Ｕ字状に屈曲された手押し杆１５、左右一対のアームレスト１６、及びそのアームレスト１６、１６の間に掛け渡されたガードアーム１７によってベビーカー本体が構成されている。そして、上記ベビーカー本体の手押し杆１５を構成するパイプ１９に設けられた幌取付具２０に幌２１が装着されている。
【００１１】
上記幌２１は、逆Ｕ字状に屈曲された３本の幌骨２２ａ、２２ｂ、２２ｃを有しており、各幌骨２２ａ、２２ｂ、２２ｃはその開放側先端部が互いに揺動可能に枢着連結され、各幌骨２２ａ、２２ｂ、２２ｃの外面側に幌布２３が張設されている。そして、上記連結部に突設された取付杆２１ａが前記幌取付具２０に挿入装着されており、上記幌２１の後部から垂下された後部覆い２１ｂの両側部が前記左右のパイプ１９を覆うように巻装装着されている。
【００１２】
上記構成は従来のものと同一であるが、本発明においては、図１に示すように、各幌骨２２ａ、２２ｂ、２２ｃの外面側に張設された幌布２３の頂面には、手押し杆１５を構成するパイプ１９に直近する固定側の幌骨２２ｃと対応する位置に一方のバックル２５が固着されている。一方、中間の幌骨２２ｂと対応する位置の幌布２３には上記バックル２５に係合可能な他方のバックル２６が固着されている。
【００１３】
しかして、図１に示すように、上記バックル２６をバックル２５から解放し、各幌骨２２ａ、２２ｂ、２２ｃ間の角度を最大に拡げることにより幌２１を全開状態に展開することができ、上記各幌骨２２ａ、２２ｂ、２２ｃ間の角度を完全に閉じた状態にすることにより、幌を折り畳んだ状態にすることができる。一方、幌２１の拡がり状態を狭くする場合には、図２及び図３に示すように、バックル２６を他方のバックル２５に係合すれば、幌２１を展開した場合にも幌骨２２ｂと幌骨２２ｃ間の角度が閉じた状態に保持され、幌骨２２ａと幌骨２２ｂ間の幌布のみが緊張状態に拡げられ、幌２１の展開面積を小さくすることができる。したがって、幌２１の開き角度を狭くして使用する場合にも、各幌骨２２ａ、２２ｂ、２２ｃ間の幌布がたるむようなことが防止される。
【００１４】
なお、上記実施の形態においては、パイプ１９に直近する固定側の幌骨２２ｃと対応する位置に一方のバックル２５を固着するととも、中間の幌骨２２ｂと対応する位置の幌布２３に上記バックル２５に係合可能な他方のバックル２６が固着されているものを示したが、バックル２６は幌布の前後適宜位置に設定することもでき、またバックル以外にホックや面ファスナ或いは紐等の連結具を使用することもできる。
【００１５】
【発明に効果】
以上説明したように、本発明は、固定側の幌骨と対応する位置と幌布の中間位置に互いに連結可能な連結具を設けたので、幌骨間の角度を最大でない任意の角度で使用する場合にも、上記連結具を互いに連結することにより、張設されている部分の幌布を緊張状態に保持することができ、見栄えをよくすることができる。
【図面の簡単な説明】
【図１】本発明の幌を装着したベビーカーにおいて幌を完全に展開した状態を示す図。
【図２】本発明の幌に設けられた連結具の連結状態を示す上面斜視図。
【図３】本発明の幌を装着したベビーカーにおいて幌を一部閉じた状態を示す図。
【図４】従来の幌を装着したベビーカーにおいて幌を全開した状態を示す斜視図。
【図５】図４の幌において幌骨を任意の角度とした状態を示す斜視図。
【符号の説明】
１２  前脚
１４  後脚
１５  手押し杆
１９  パイプ
２０  幌取付具
２１  幌
２２ａ、２２ｂ、２２ｃ  幌骨
２３  幌
２５、２６  バックル
【図１】
2004203354.tif 000003
【図２】
2004203354.tif 000004
【図３】
2004203354.tif 000005
【図４】
2004203354.tif 000006
【図５】
2004203354.tif 000007